(57)【要約】【課題】店員の過度の教育負担や複数のマニュアル冊子がなくても、安心して、携帯端末を用いた決済が可能な決済処理システムを提供する。【解決手段】店舗商品１の代金決済時に、購入者２の非接触型カード３ａ搭載の携帯端末３をＰＯＳ端末４の読み取り端末４ａにかざし、携帯端末３により決済可能な契約済みの決済方式として記録された決済方式情報と携帯端末３の製造メーカや型式を含む機種情報として記録された携帯端末機種情報とを非接触型カード３ａから読み取り、決済可能なすべての決済方式の中から所望の決済方式を選択する画面を編集して、購入者２用のカスタマディスプレイ４ｂ、店員５用のオペレータディスプレイ４ｃに表示する。また、決済時にトラブルが発生の場合、前記携帯端末機種情報に基づく携帯端末３の機種に最適なトラブル解決用の操作ガイダンス画面を編集して、カスタマディスプレイ４ｂ、オペレータディスプレイ４ｃに画面表示する。【選択図】        図１
2008107864.tif 000002
【特許請求の範囲】
【請求項１】
購入者が所持して、各種情報の記録および読み取りが可能な非接触型カードを搭載した携帯端末と、店舗に設置されたＰＯＳ端末とからなり、購入者の購入代金の決済を行う決済処理システムにおいて、前記ＰＯＳ端末に、前記携帯端末の前記非接触型カードの記録内容を読み取ることが可能な読み取り端末を少なくとも備え、前記携帯端末の前記非接触型カードには、少なくとも当該携帯端末により決済が可能な契約済みの決済方式を決済方式情報としてあらかじめ記録し、前記ＰＯＳ端末は、前記読み取り端末により前記非接触型カードに記録した前記決済方式情報を読み取ることによって、決済処理を実施することを特徴とする決済処理システム。
【請求項２】
請求項１に記載の決済処理システムにおいて、前記ＰＯＳ端末に、購入者が見ることが可能なカスタマディスプレイをさらに備え、前記ＰＯＳ端末は、前記携帯端末の前記非接触型カードに記録されている前記決済方式情報を読み取った結果に基づいて、当該携帯端末により決済が可能な契約済みのすべての決済方式の中から希望する任意の決済方式を選択することができる決済方式選択画面を編集して、前記カスタマディスプレイに画面表示することを特徴とする決済処理システム。
【請求項３】
請求項２に記載の決済処理システムにおいて、前記ＰＯＳ端末に、店員が見ることが可能なオペレータディスプレイをさらに備え、前記ＰＯＳ端末は、前記カスタマディスプレイに画面表示した前記決済方式選択画面と同一の情報を少なくとも含む店員用の決済方式選択画面を編集して、前記オペレータディスプレイに画面表示することを特徴とする決済処理システム。
【請求項４】
請求項２または３に記載の決済処理システムにおいて、前記カスタマディスプレイおよび／または前記オペレータディスプレイ上にタッチパネルをさらに備え、購入者および／または店員は、前記タッチパネルを操作することにより、前記決済方式選択画面および／または前記店員用の決済方式選択画面に画面表示された決済方式のいずれかを選択可能とすることを特徴とする決済処理システム。
【請求項５】
請求項１ないし４のいずれかに記載の決済処理システムにおいて、購入者が、前記携帯端末の代わりに、前記非接触型カードのみを所持している場合、前記ＰＯＳ端末の前記読み取り端末は、前記携帯端末に搭載されていない形態で、前記非接触型カードに記録されている前記決済方式情報を読み取ることが可能であることを特徴とする決済処理システム。
【請求項６】
購入者が所持して、各種情報の記録および読み取りが可能な非接触型カードを搭載した携帯端末と、店舗に設置されたＰＯＳ端末とからなり、購入者の購入代金の決済を行う決済処理システムにおいて、前記ＰＯＳ端末に、前記携帯端末の前記非接触型カードの記録内容を読み取ることが可能な読み取り端末を少なくとも備え、前記携帯端末の前記非接触型カードには、少なくとも当該携帯端末の製造メーカや型式を含む機種情報を携帯端末機種情報としてあらかじめ記録し、前記ＰＯＳ端末は、決済処理を実施する段階でトラブルが発生した場合に、前記読み取り端末により前記非接触型カードに記録した前記携帯端末機種情報を読み取ることによって、前記携帯端末の機種に応じた前記トラブルの解決処理を行うことを特徴とする決済処理システム。
【請求項７】
請求項６に記載の決済処理システムにおいて、前記ＰＯＳ端末に、購入者が見ることが可能なカスタマディスプレイをさらに備え、前記ＰＯＳ端末は、前記携帯端末の前記非接触型カードに記録されている前記携帯端末機種情報を読み取った結果に基づいて、トラブル解決用として当該携帯端末の機種に応じた適切な操作を行うことをガイドするためのトラブル解決用操作ガイダンス画面を編集して、前記カスタマディスプレイに画面表示することを特徴とする決済処理システム。
【請求項８】
請求項７に記載の決済処理システムにおいて、前記ＰＯＳ端末に、店員が見ることが可能なオペレータディスプレイをさらに備え、前記ＰＯＳ端末は、前記カスタマディスプレイに画面表示した前記トラブル解決用操作ガイダンス画面と同一の情報を少なくとも含む店員用のトラブル解決用操作ガイダンス画面を編集して、前記オペレータディスプレイに画面表示することを特徴とする決済処理システム。
【請求項９】
請求項７または８に記載の決済処理システムにおいて、前記カスタマディスプレイおよび／または前記オペレータディスプレイ上にタッチパネルをさらに備え、購入者および／または店員は、前記タッチパネルを操作することにより、前記トラブル解決用操作ガイダンス画面および／または前記店員用のトラブル解決用操作ガイダンス画面に画面表示されたガイダンス情報に基づく操作を選択可能とすることを特徴とする決済処理システム。
【請求項１０】
請求項６ないし９のいずれかに記載の決済処理システムにおいて、購入者が、前記携帯端末の代わりに、前記非接触型カードのみを所持している場合、前記非接触型カードには、少なくとも当該非接触型カードのカード発行会社やカード型式を少なくとも含むカード種別情報を、前記携帯端末機種情報に含めて、あるいは、前記携帯端末機種情報の代わりに、あらかじめ記録し、前記ＰＯＳ端末の前記読み取り端末は、前記携帯端末に搭載されていない形態で、前記非接触型カードに記録されている前記カード種別情報を読み取ることが可能であることを特徴とする決済処理システム。
【請求項１１】
購入者が所持して、各種情報の記録および読み取りが可能な非接触型カードを搭載した携帯端末と、店舗に設置されたＰＯＳ端末とからなり、購入者の購入代金の決済を行う決済処理方法において、前記ＰＯＳ端末は、前記携帯端末の前記非接触型カードに当該携帯端末により決済が可能な契約済みの決済方式としてあらかじめ記録された決済方式情報を読み取ることによって、決済処理を実施することを特徴とする決済処理方法。
【請求項１２】
請求項１１に記載の決済処理方法において、前記ＰＯＳ端末は、前記携帯端末の前記非接触型カードに記録されている前記決済方式情報を読み取った結果に基づいて、当該携帯端末により決済が可能な契約済みのすべての決済方式の中から希望する任意の決済方式を選択することができる決済方式選択画面を編集して、購入者が見ることが可能なカスタマディスプレイに画面表示することを特徴とする決済処理方法。
【請求項１３】
請求項１２に記載の決済処理方法において、前記ＰＯＳ端末は、前記カスタマディスプレイに画面表示した前記決済方式選択画面と同一の情報を少なくとも含む店員用の決済方式選択画面を編集して、店員が見ることが可能なオペレータディスプレイに画面表示することを特徴とする決済処理システム。
【請求項１４】
購入者が所持して、各種情報の記録および読み取りが可能な非接触型カードを搭載した携帯端末と、店舗に設置されたＰＯＳ端末とからなり、購入者の購入代金の決済を行う決済処理方法において、前記ＰＯＳ端末は、決済処理を実施する段階でトラブルが発生した場合に、前記携帯端末の前記非接触型カードに当該携帯端末の製造メーカや型式を含む機種情報としてあらかじめ記録された携帯端末機種情報を読み取ることによって、前記携帯端末の機種に応じた前記トラブルの解決処理を行うことを特徴とする決済処理方法。
【請求項１５】
請求項１４に記載の決済処理方法において、前記ＰＯＳ端末は、前記携帯端末の前記非接触型カードに記録されている前記携帯端末機種情報を読み取った結果に基づいて、トラブル解決用として当該携帯端末の機種に応じた適切な操作を行うことをガイドするためのトラブル解決用操作ガイダンス画面を編集して、購入者が見ることが可能なカスタマディスプレイに画面表示することを特徴とする決済処理方法。
【請求項１６】
請求項１５に記載の決済処理方法において、前記ＰＯＳ端末は、前記カスタマディスプレイに画面表示した前記トラブル解決用操作ガイダンス画面と同一の情報を少なくとも含む店員用のトラブル解決用操作ガイダンス画面を編集して、店員が見ることが可能なオペレータディスプレイに画面表示することを特徴とする決済処理方法。
【請求項１７】
請求項１１ないし１６のいずれかに記載の決済処理方法を、コンピュータによって実行可能なプログラムとして実施していることを特徴とする決済処理プログラム。
【請求項１８】
請求項１７に記載の決済処理プログラムを、コンピュータによって読み取り可能な記録媒体に記録していることを特徴とするプログラム記録媒体。
【発明の詳細な説明】
【技術分野】
【０００１】
本発明は、決済処理システム、決済処理方法、決済処理プログラムおよびプログラム記録媒体に関する。特に、携帯電話などの携帯端末を用いて電子決済が可能なコンビニエンスストアを中心に利用され、電子マネーやクレジットによる決済形態が適用される小売業態に広く実施することが可能な決済処理システム、決済処理方法、決済処理プログラムおよびプログラム記録媒体に関する。
【背景技術】
【０００２】
近年、特許文献１の特開２００３−１０８９０２号公報「電子商取引における認証方法」や特許文献２の特開２００３−３２３６６４号公報「カード決済システム」などに記載のように、店舗において携帯電話などの携帯端末やＩＣカードなどを利用して決済を行う方法の開発が、盛んになってきている。
【特許文献１】特開２００３−１０８９０２号公報（第３−５頁）
【特許文献２】特開２００３−３２３６６４号公報（第４−５頁）
【発明の開示】
【発明が解決しようとする課題】
【０００３】
従来は、店舗のＰＯＳ端末において、携帯電話などの携帯端末を用いた決済を行う場合、決済方式（ＥＤＹ、ＳＵＩＣＡ、ＩＤなどや各種のクレジットカードなど）ごとに、決済用の読み取り端末が個別に分かれて設置されていたこと、また、決済用として使用可能な携帯端末の機種が限られていたことから、決済に関する操作について、購入者に対して行う店員からのアドバイスも、限られた内容について行うだけで良く、店員による説明でも十分に対応することができた。
【０００４】
しかし、昨今、複数の決済方式を１台の読み取り端末、または、ＰＯＳ端末に内蔵された１台の読み取り機によって処理することが可能になってきており、また、決済のために使用することが可能な携帯端末についても多機種となってきており、携帯端末ごとに異なる操作に関する店員によるアドバイスが必要となるため、従来のような店員による説明だけでは、十分には対応することができなくなってきている。すなわち、携帯端末が多様化していく中で、購入者が複数の契約済みの決済方式のいずれでも用いることができる場合、従来の決済処理システムにおいては、希望する決済方式を簡単に選択する選択方法が備えられていないこと、また、携帯端末の機能や操作方法が多様化していく中で、店舗のＰＯＳ端末による決済に関わる設定や初期状態に問題が発生した場合にその問題を解決するための操作ガイドを、店舗の店員が十分には説明し切れなくなってくる懸念が増大してきている。
【０００５】
そこで、本発明の目的は、商品の購入者がどのような決済方式に対応したどのような機種の携帯端末を使用している場合であっても、希望する決済方式の選択をＰＯＳ端末上で簡単に選択することを可能とし、かつ、決済時に発生したトラブルを解決するために、使用している携帯端末の機種に応じた適切な操作ガイダンスをＰＯＳ端末上に表示することを可能とすることによって、店員の過度の教育負担を課することもなく、かつ、複数のマニュアル冊子を店員の手元に置いておかなくても、安心して、携帯端末による決済を行うことができる決済処理システム、決済処理方法、決済処理プログラムおよびプログラム記録媒体を提供することにある。
【課題を解決するための手段】
【０００６】
前述の課題を解決するため、本発明による決済処理システム、決済処理方法、決済処理プログラムおよびプログラム記録媒体は、次のような特徴的な構成を採用している。
【０００７】
（１）購入者が所持して、各種情報の記録および読み取りが可能な非接触型カードを搭載した携帯端末と、店舗に設置されたＰＯＳ端末とからなり、購入者の購入代金の決済を行う決済処理システムにおいて、前記ＰＯＳ端末に、前記携帯端末の前記非接触型カードの記録内容を読み取ることが可能な読み取り端末を少なくとも備え、前記携帯端末の前記非接触型カードには、少なくとも当該携帯端末により決済が可能な契約済みの決済方式を決済方式情報としてあらかじめ記録し、前記ＰＯＳ端末は、前記読み取り端末により前記非接触型カードに記録した前記決済方式情報を読み取ることによって、決済処理を実施する決済処理システム。
（２）上記（１）の決済処理システムにおいて、前記ＰＯＳ端末に、購入者が見ることが可能なカスタマディスプレイをさらに備え、前記ＰＯＳ端末は、前記携帯端末の前記非接触型カードに記録されている前記決済方式情報を読み取った結果に基づいて、当該携帯端末により決済が可能な契約済みのすべての決済方式の中から希望する任意の決済方式を選択することができる決済方式選択画面を編集して、前記カスタマディスプレイに画面表示する決済処理システム。
（３）上記（２）の決済処理システムにおいて、前記ＰＯＳ端末に、店員が見ることが可能なオペレータディスプレイをさらに備え、前記ＰＯＳ端末は、前記カスタマディスプレイに画面表示した前記決済方式選択画面と同一の情報を少なくとも含む店員用の決済方式選択画面を編集して、前記オペレータディスプレイに画面表示する決済処理システム。
（４）上記（２）または（３）の決済処理システムにおいて、前記カスタマディスプレイおよび／または前記オペレータディスプレイ上にタッチパネルをさらに備え、購入者および／または店員は、前記タッチパネルを操作することにより、前記決済方式選択画面および／または前記店員用の決済方式選択画面に画面表示された決済方式のいずれかを選択可能とする決済処理システム。
（５）上記（１）ないし（４）のいずれかの決済処理システムにおいて、購入者が、前記携帯端末の代わりに、前記非接触型カードのみを所持している場合、前記ＰＯＳ端末の前記読み取り端末は、前記携帯端末に搭載されていない形態で、前記非接触型カードに記録されている前記決済方式情報を読み取ることが可能である決済処理システム。
（６）購入者が所持して、各種情報の記録および読み取りが可能な非接触型カードを搭載した携帯端末と、店舗に設置されたＰＯＳ端末とからなり、購入者の購入代金の決済を行う決済処理システムにおいて、前記ＰＯＳ端末に、前記携帯端末の前記非接触型カードの記録内容を読み取ることが可能な読み取り端末を少なくとも備え、前記携帯端末の前記非接触型カードには、少なくとも当該携帯端末の製造メーカや型式を含む機種情報を携帯端末機種情報としてあらかじめ記録し、前記ＰＯＳ端末は、決済処理を実施する段階でトラブルが発生した場合に、前記読み取り端末により前記非接触型カードに記録した前記携帯端末機種情報を読み取ることによって、前記携帯端末の機種に応じた前記トラブルの解決処理を行う決済処理システム。
（７）上記（６）の決済処理システムにおいて、前記ＰＯＳ端末に、購入者が見ることが可能なカスタマディスプレイをさらに備え、前記ＰＯＳ端末は、前記携帯端末の前記非接触型カードに記録されている前記携帯端末機種情報を読み取った結果に基づいて、トラブル解決用として当該携帯端末の機種に応じた適切な操作を行うことをガイドするためのトラブル解決用操作ガイダンス画面を編集して、前記カスタマディスプレイに画面表示する決済処理システム。
（８）上記（７）の決済処理システムにおいて、前記ＰＯＳ端末に、店員が見ることが可能なオペレータディスプレイをさらに備え、前記ＰＯＳ端末は、前記カスタマディスプレイに画面表示した前記トラブル解決用操作ガイダンス画面と同一の情報を少なくとも含む店員用のトラブル解決用操作ガイダンス画面を編集して、前記オペレータディスプレイに画面表示する決済処理システム。
（９）上記（７）または（８）の決済処理システムにおいて、前記カスタマディスプレイおよび／または前記オペレータディスプレイ上にタッチパネルをさらに備え、購入者および／または店員は、前記タッチパネルを操作することにより、前記トラブル解決用操作ガイダンス画面および／または前記店員用のトラブル解決用操作ガイダンス画面に画面表示されたガイダンス情報に基づく操作を選択可能とする決済処理システム。
（１０）上記（６）ないし（９）のいずれかの決済処理システムにおいて、購入者が、前記携帯端末の代わりに、前記非接触型カードのみを所持している場合、前記非接触型カードには、少なくとも当該非接触型カードのカード発行会社やカード型式を少なくとも含むカード種別情報を、前記携帯端末機種情報に含めて、あるいは、前記携帯端末機種情報の代わりに、あらかじめ記録し、前記ＰＯＳ端末の前記読み取り端末は、前記携帯端末に搭載されていない形態で、前記非接触型カードに記録されている前記カード種別情報を読み取ることが可能である決済処理システム。
（１１）購入者が所持して、各種情報の記録および読み取りが可能な非接触型カードを搭載した携帯端末と、店舗に設置されたＰＯＳ端末とからなり、購入者の購入代金の決済を行う決済処理方法において、前記ＰＯＳ端末は、前記携帯端末の前記非接触型カードに当該携帯端末により決済が可能な契約済みの決済方式としてあらかじめ記録された決済方式情報を読み取ることによって、決済処理を実施する決済処理方法。
（１２）上記（１１）の決済処理方法において、前記ＰＯＳ端末は、前記携帯端末の前記非接触型カードに記録されている前記決済方式情報を読み取った結果に基づいて、当該携帯端末により決済が可能な契約済みのすべての決済方式の中から希望する任意の決済方式を選択することができる決済方式選択画面を編集して、購入者が見ることが可能なカスタマディスプレイに画面表示する決済処理方法。
（１３）上記（１２）の決済処理方法において、前記ＰＯＳ端末は、前記カスタマディスプレイに画面表示した前記決済方式選択画面と同一の情報を少なくとも含む店員用の決済方式選択画面を編集して、店員が見ることが可能なオペレータディスプレイに画面表示する決済処理システム。
（１４）購入者が所持して、各種情報の記録および読み取りが可能な非接触型カードを搭載した携帯端末と、店舗に設置されたＰＯＳ端末とからなり、購入者の購入代金の決済を行う決済処理方法において、前記ＰＯＳ端末は、決済処理を実施する段階でトラブルが発生した場合に、前記携帯端末の前記非接触型カードに当該携帯端末の製造メーカや型式を含む機種情報としてあらかじめ記録された携帯端末機種情報を読み取ることによって、前記携帯端末の機種に応じた前記トラブルの解決処理を行う決済処理方法。
（１５）上記（１４）の決済処理方法において、前記ＰＯＳ端末は、前記携帯端末の前記非接触型カードに記録されている前記携帯端末機種情報を読み取った結果に基づいて、トラブル解決用として当該携帯端末の機種に応じた適切な操作を行うことをガイドするためのトラブル解決用操作ガイダンス画面を編集して、購入者が見ることが可能なカスタマディスプレイに画面表示する決済処理方法。
（１６）上記（１５）の決済処理方法において、前記ＰＯＳ端末は、前記カスタマディスプレイに画面表示した前記トラブル解決用操作ガイダンス画面と同一の情報を少なくとも含む店員用のトラブル解決用操作ガイダンス画面を編集して、店員が見ることが可能なオペレータディスプレイに画面表示する決済処理方法。
（１７）上記（１１）ないし（１６）のいずれかの決済処理方法を、コンピュータによって実行可能なプログラムとして実施している決済処理プログラム。
（１８）上記（１７）の決済処理プログラムを、コンピュータによって読み取り可能な記録媒体に記録しているプログラム記録媒体。
【発明の効果】
【０００８】
本発明の決済処理システム、決済処理方法、決済処理プログラムおよびプログラム記録媒体によれば、商品の購入者がどのような決済方式に対応したどのような機種の携帯端末を使用していても、ＰＯＳ端末により決済方式の選択や決済段階で発生したトラブルの解決用の操作ガイドを行うことができるため、店員の過度の教育負担を課することもなく、かつ、複数のマニュアル冊子を店員の手元に置いておかなくても、安心して、携帯端末による決済を行うことができるという効果が得られる。
【０００９】
さらに説明すると、本発明においては、次のような効果を奏することができる。まず、第１の効果は、携帯端末に登録されている複数の契約済みの決済方式の中から、購入者が希望する決済方式を選択する際に、ＰＯＳ端末のディスプレイ（カスタマディスプレイおよびオペレータディスプレイ）を利用して決済方式選択画面として決済方式の選択項目が一覧表示されるので、購入者にとって理解し易い形態で決済方式の選択が可能になることである。
【００１０】
その理由は、購入者が所持する携帯端末に内蔵の非接触型カードに契約済みのすべての決済方式を示す情報を決済方式情報として記録しておき、非接触型カードに記録された契約済みの決済方式情報を、ＰＯＳ端末によって読み取って判別することによって、ＰＯＳ端末に搭載した購入者向けのカスタマディスプレイに決済方式選択画面として一覧表示し、購入者が希望する決済方式を選択可能とする仕組みを構成しているためである。また、前記決済方式選択画面と同様の情報を少なくとも含む画面が、店員用の決済方式選択画面として、店員が見るオペレータディスプレイにも画面表示されるので、店員が店員用の決済方式選択画面を見ることによって、購入者が使用可能な決済方式を店員にも容易に分かる仕組みを構成しているためである。
【００１１】
第２の効果は、携帯端末による決済の際にトラブルが発生した場合、その携帯端末の機種に合わせた分かり易いトラブル解決用の操作ガイダンスがＰＯＳ端末のディスプレイ（カスタマディスプレイおよびオペレータディスプレイ）に画面表示されるので、誰でも、簡単にトラブルを解決することができることである。
【００１２】
その理由は、携帯端末に内蔵の非接触型カードには当該携帯端末の製造メーカや型式を表す情報を携帯端末機種情報として記録しておき、非接触型カードに記録された携帯端末機種情報を、ＰＯＳ端末によって読み取って判別することによって、当該携帯端末の機種に合わせた適切なトラブル解決用の操作方法を、トラブル解決用操作ガイダンス画面として、例えば、当該携帯端末用の映像や文字を用いて分かり易く表現することができるためである。
【００１３】
第３の効果は、ＰＯＳ端末に内蔵または外付け接続した読み取り端末を、携帯端末の機種ごとや決済方式ごとに分けて別々に配置しなくても、購入者は、何も気にせずに、携帯端末による決済方式の選択や決済の実行を行うことができ、かつ、決済段階でのトラブル発生時においても、携帯端末の機種に応じた最適な解決手順がトラブル解決用のガイダンス画面としてＰＯＳ端末のディスプレイ（カスタマディスプレイおよびオペレータディスプレイ）上に表示されるので、発生したトラブルを容易に解決することができることである。
【００１４】
その理由は、携帯端末に内蔵の非接触型カードに、契約済みの決済方式および当該携帯端末の機種に関する情報を、決済方式情報および携帯端末機種情報として記録しておき、さらに、決済方式情報および携帯端末機種情報のデータフォーマットを、業界標準のデータフォーマットとして定義することによって、決済方式情報および携帯端末機種情報を決済会社各社や携帯端末メーカ各社に広く適用されることを可能としているので、購入者が決済のためにＰＯＳ端末において携帯端末を使用する際に、決済処理に最適な決済方式選択画面を画面表示したり、決済段階におけるトラブル発生時にも携帯端末の機種ごとに最適なトラブル解決用の操作ガイダンス画面を表示したりすることができる仕組みを構成しているためである。
【発明を実施するための最良の形態】
【００１５】
以下、本発明による決済処理システム、決済処理方法、決済処理プログラムおよびプログラム記録媒体の好適実施形態例について添付図を参照して説明する。
【００１６】
（発明の特徴）
まず、本発明の特徴についてその概要を説明する。本発明は、各種の情報の記録・読み取りが可能な非接触型カード（例えば非接触ＩＣカード）を搭載する携帯電話などの携帯端末を用いて、ＰＯＳ端末による決済時の操作補助を行う仕組みを提供しているものである。具体的には、携帯端末を用いた決済時に、ＰＯＳ端末は、当該携帯端末から特定情報を採取することによって、当該携帯端末の契約済みの決済方法やその機種に関する情報を取得して、決済方式の選択画面や機種に沿った操作ガイダンス画面を、ＰＯＳ端末のタッチパネル付きのディスプレイに表示して、購入者が希望する決済方式の選択やトラブル解決のための操作を購入者や店員がタッチパネルなどから簡単に実施することができる仕組みを提供しているものである。
【００１７】
すなわち、本発明の最大の特徴は、店舗に設置したＰＯＳ端末にて購入者が所持する携帯端末の機種認識を自動的に行うとともに、当該携帯端末を用いた決済方式をＰＯＳ端末にて選択可能とし、もって、商品の購入者に負担をかけることなく、ＰＯＳ端末を通じてより簡易な決済用の仕組みを提供し、かつ、携帯端末の機種に最適な画面表示によりガイダンスを行う仕組みを提供している点にある。
【００１８】
（実施例の構成）
図１に、本発明による決済処理システムの構成の一例を説明するための説明図を示している。図１の決済処理システム１０は、店舗の商品を示す店舗商品１、店舗で商品を購入する顧客すなわち購入者２、購入者２が所持し、少なくとも決済用として利用可能な情報を記録した非接触型カード（例えば、非接触型ＩＣカード）を内蔵した携帯端末３、店舗に設置のＰＯＳ端末４、ＰＯＳ端末４に内蔵または外付け接続され、携帯端末３の非接触型カードに記録された決済用の情報を読み取り可能な読み取り端末４ａ、ＰＯＳ端末４に内蔵され、購入者２側に向けられたＬＣＤ表示器であるカスタマディスプレイ４ｂ（タッチパネルを有する形態とする）、ＰＯＳ端末４に内蔵され、店員５側に向けられたＬＣＤ表示器であるオペレータディスプレイ４ｃ（タッチパネルを有する形態とする）、ＰＯＳ端末４に内蔵され、携帯端末３による決済手段を実現するアプリケーションプログラム（すなわち決済処理プログラム）４ｄ、店舗でＰＯＳ端末４を操作する店員５を少なくとも含んで構成されている。
【００１９】
ここで、アプリケーションプログラム４ｄは、決済用の処理および決済段階で発生したトラブルの解決用の処理を行うプログラムであり、決済方式の選択やトラブル解決のための、購入者２および店員５向けの操作ガイダンスを、それぞれ、カスタマディスプレイ４ｂおよびオペレータディスプレイ４ｃに表示するプログラムを含んで構成されている。また、本実施例における携帯端末３としては、携帯電話、ＰＨＳ、携帯情報機器ＰＤＡ、携帯ノートパソコンなど、如何なる形態の携帯用の機器であっても良く、購入者２が所持可能で、かつ、各種情報の記録・読み取りが可能な非接触型カードを内蔵する機器であれば、その実施形態の如何は問わない。
【００２０】
（実施例の構成における動作例）
図１に示す決済処理システム１０においては、図１の＜全体の流れ＞に示すように、まず、店舗で扱う店舗商品１を購入者２が購入する（フローＦ１）。購入の際に、当該購入者２所持の非接触型カード（例えば非接触型ＩＣカード）内蔵の携帯端末３を使用して決済を行う場合には、ＰＯＳ端末４に内蔵または外付け接続した読み取り端末４ａに携帯端末３をかざすことによって、ＰＯＳ端末４は、携帯端末３の非接触型カードに記録されている決済用の必要情報を読み取る（フローＦ２）。ここで、決済用の必要情報としては、購入者２が事前に契約している複数または単一の決済方式と当該携帯端末３のメーカ、型式などからなる機種を示す機種情報とが、少なくとも含まれている。
【００２１】
読み取った当該携帯端末３の契約済みの決済方式情報と機種情報とを、ＰＯＳ端末４にインストールされたアプリケーションプログラム４ｄにより処理した結果に基づいて、ＰＯＳ端末４に接続した２つの画面表示器に対して、すなわち、カスタマディスプレイ４ｂとして顧客側に示すＬＣＤ表示器と、オペレータディスプレイ４ｃとして店員側に示すＬＣＤ表示器と、に対して、決済方式の選択画面や決済段階でのトラブル解決用の操作ガイダンス画面を表示する（フローＦ３）。ここで、通常時は、カスタマディスプレイ４ｂ、オペレータディスプレイ４ｃには、携帯端末３の契約済みの決済内容として登録されているすべての決済方式（例えば、図１の場合、携帯端末３には電子マネーＡ、電子マネーＢ、クレジットＣ、クレジットＤの４種類の決済方式が登録されている）が一覧表示される（フローＦ４）。
【００２２】
すなわち、購入者２が複数の決済方式を契約している場合であれば、ＰＯＳ端末４に搭載のカスタマディスプレイ４ｂには、契約済みの複数の決済方式情報の中から決済方式を選択するための決済方式選択画面が購入者２に対して画面表示される。また、同時に、オペレータディスプレイ４ｃには、携帯端末３の所持者が契約している複数の決済方式の一覧が店員５に対して画面表示される。したがって、店員５は、購入者２に対して、どのような決済方式を用いるかを問い合わせたり、または、カスタマディスプレイ４ｂ上のタッチパネルを利用して、決済方式を選択するように促す案内をしたりすることができる。
【００２３】
一方、購入者２は、カスタマディスプレイ４ｂに一覧表示された決済方式の中から、タッチパネルにタッチするだけで、希望する決済方式を簡単に選択することができ、購入者２が選択した決済方式を用いて、決済処理を実施することができる。したがって、購入者２は、自分が利用可能な決済方式を複数有している場合であっても、その詳細を覚える必要はなく、カスタマディスプレイ４ｂに画面表示された選択可能な決済方式の一覧を見たり、店員５による案内を聞いたりすることによって、希望の決済方式を用いて買い物を行うことができる。
【００２４】
なお、購入者２が携帯端末３を用いた決済方式として単一の決済方式しか契約していなかった場合、ＰＯＳ端末４が決済段階で単一の決済方式であることを認識した時点で、自動的に、当該決済方式によって決済処理を実施しても良いし、あるいは、当該単一の決済方式を購入者２に確認するために、複数の決済方式を契約していた場合と同様に、ＰＯＳ端末４のカスタマディスプレイ４ｂ、オペレータディスプレイ４ｃに、決済方法の選択画面として、画面表示するようにしても良い。
【００２５】
また、ＰＯＳ端末４が通常の決済とは異なる何らかのトラブルを検知した場合には、カスタマディスプレイ４ｂ、オペレータディスプレイ４ｃ上に、使用している携帯端末３の機種に対応した適切なトラブル処理を行うための詳細な操作方法を示す操作ガイダンスが表示される（フローＦ５）。例えば、図１に示すように、「絵を見て操作してください。ボタンＡを押し、次に、ボタンＢを押してください。」などの操作ガイダンスが表示されるので、購入者２または店員５は、カスタマディスプレイ４ｂ、オペレータディスプレイ４ｃに表示された操作ガイダンスにしたがって、操作を進めることにより、決済時のトラブルを簡単に解決することができる。
【００２６】
すなわち、決済の段階でトラブルが発生した際には、携帯端末３の機種に応じて、トラブルに対する対応方法が異なる場合がある。そのため、携帯端末３の機種情報を示すデータを読み取ることによって、アプリケーションプログラム４ｄが当該携帯端末３の機種を認識し、当該携帯端末３の機種に応じた適切なトラブル解決用のガイダンス画面をカスタマディスプレイ４ｂおよびオペレータディスプレイ４ｃに画面表示する。これにより、購入者２は、自分がどのようにトラブルを解決しなければならないかを、トラブル解決用のガイダンス画面を通じて、確認することができ、一方、店員５側も、現在、使われている携帯端末３の機種が何であるかを購入者２に確認する必要はなく、オペレータディスプレイ４ｃを通じて、トラブル解決用のガイダンス画面を確認することによって、購入者２に対して適切なアドバイスを行うことができる。
【００２７】
ここで、携帯端末３の区別、すなわち、ＰＯＳ端末４の読み取り端末４ａ上にかざした携帯端末３による決済契約内容やトラブル処理に関する識別は、図２に示すように、携帯端末３に内蔵の非接触型カード３ａ内に記録している契約済みの決済方式情報３１および携帯端末機種情報３２を利用して行われる。図２は、本発明による携帯端末３の内部構成の一例を示す斜視図であり、携帯端末３には非接触型カード３ａが内蔵されている。非接触型カード３ａは、決済用などを含め各種情報を記録し、かつ、読み取ることが可能な記録媒体であり、例えば、非接触型のＩＣカードからなっている。
【００２８】
図２に示すように、非接触型カード３ａ内に記録した決済方式情報３１としては、カード会社等と契約済みの決済方式を、各カード会社に共通のコードとしてあらかじめ定義した標準データフォーマットによって表現することとし、当該非接触型カード３ａを搭載した携帯端末３には、該標準データフォーマットを用いて、契約済みのすべての決済方式が読み取り可能な形態で保存されている。例えば、図２においては、決済方式を４桁、カード会社を４桁、サービスを８桁とした合計１６桁のコードが、決済方式の標準データフォーマットとされている例を示しており、契約済みの第１の決済方式（１）が、決済方式として「０００１」、カード会社として「９８０１」、サービスとして「３３８７４４６２」であり、第２の決済方式（２）が、決済方式として「０００１」、カード会社として「９８０２」、サービスとして「３３８７６５２１」であり、第３の決済方式（３）が、決済方式として「０００３」、カード会社として「９８０３」、サービスとして「３９６４８６５１」であり、第４の決済方式（４）が、決済方式として「０００３」、カード会社として「９８５４」、サービスとして「４２１６５５８２」であるという４種類の決済方式が契約されている場合の非接触型カード３ａへの登録内容を例示している。
【００２９】
また、図２の非接触型カード３ａ内に記録した携帯端末機種情報３２としては、各携帯端末メーカの携帯端末の機種を、各携帯端末メーカに共通のコードとしてあらかじめ定義した標準データフォーマットによって表現することとし、当該非接触型カード３ａを搭載した携帯端末３には、該標準データフォーマットを用いて、当該携帯端末３の機種が読み取り可能な形態で保存されている。例えば、図２においては、携帯端末メーカを４桁、型式を１２桁とした合計１６桁のコードが、携帯端末機種の標準データフォーマットとされている例を示しており、携帯端末メーカが「１２０１」、型式が「２３４８９３７６２８６５」である携帯端末３の場合の非接触型カード３ａへの登録内容を例示している。
【００３０】
（実施例における決済処理）
次に、図１、図２に示す決済処理システム１０の構成例における決済処理方法について図３のフローチャートを用いてその詳細に説明する。図３は、本発明による決済処理システムにおける決済処理の一例を説明するためのフローチャートであり、購入者２と店員５とに対応する処理に関して説明している。
【００３１】
まず、図３のフローチャートにおいて、購入者２が購入しようとしている店舗商品１のタグをＰＯＳ端末４にかざしてスキャンすることにより、ＰＯＳ端末４に商品の売り上げ情報を登録するとともに（ステップＳ１）、合計金額を、カスタマディスプレイ４ｂ、オペレータディスプレイ４ｃに画面表示する（ステップＳ２）。次に、支払い代金の支払い方法が現金払いか携帯端末３による支払いかを、購入者２が選択する（ステップＳ３）。現金による支払いを選択した場合は（ステップＳ３の「現金で支払い」の場合）、店員５は購入者２から現金での支払いを受けることにより取引を終了する。
【００３２】
一方、携帯端末３による支払いを選択した場合は（ステップＳ３の「携帯端末で支払い」の場合）、購入者２が所持する携帯端末３をＰＯＳ端末４の読み取り端末４ａ上にかざして、携帯端末３に内蔵の非接触型カード３ａに記録されている決済用の情報を読み取る（ステップＳ４）。これにより、ＰＯＳ端末４は、携帯端末３に関する契約済みの決済方式情報３１および携帯端末機種情報３２のデータを入手する（ステップＳ５）。
【００３３】
入手した決済方式情報３１および携帯端末機種情報３２のデータは、ＰＯＳ端末４の決済処理用のアプリケーションプログラム４ｄに入力されることによって、アプリケーションプログラム４ｄは、決済方式情報３１および携帯端末機種情報３２のデータを分析し、該当する処理を実施する（ステップＳ６）。当該携帯端末３の非接触型カード３ａに記録されていた契約済みの決済方式を示す決済方式情報３１として、図２に例示したように、複数の決済方式が記録されていた場合は、決済方式の選択を行うために、ＰＯＳ端末４のカスタマディスプレイ４ｂ、オペレータディスプレイ４ｃのそれぞれに、決済方式選択画面として複数の決済方式を一覧表示する（ステップＳ７）。
【００３４】
ＰＯＳ端末４のカスタマディスプレイ４ｂに一覧表示された複数の決済方式の中から、購入者２がカスタマディスプレイ４ｂ上のタッチパネルにタッチすることにより、または、購入者２の選択結果を受け付けた店員５がオペレータディスプレイ４ｃ上のタッチパネルにタッチすることにより、いずれかの決済方式を選択する（ステップＳ８）。なお、当該携帯端末３の非接触型カード３ａに記録されていた決済方式情報３１として単一の決済方式のみが記録されている場合は、その決済方式を選択する。また、単一の決済方式しか記録されていなかった場合は、前述したように、場合によっては、ＰＯＳ端末４のディスプレイ（カスタマディスプレイ４ｂ、オペレータディスプレイ４ｃ）に決済方式選択画面を画面表示することなく、自動的に、当該単一の決済方式を選択して決済処理を実施することにしても良い。
【００３５】
決済方式の選択がなされると、ＰＯＳ端末４の決済処理用のアプリケーションプログラム４ｄは、適切な決済処理画面に移行して、購入者２が選択した決済方式に基づく決済処理を実施し、決済処理が正常に終了したか否かをチェックする（ステップＳ９）。決済処理が正常に終了した場合は（ステップＳ９の「正常に終了」の場合）、取引を終了する。一方、決済処理が正常に終了せずに、トラブルが発生した場合は（ステップＳ９の「トラブル発生」の場合）、アプリケーションプログラム４ｄは、携帯端末３から入力された携帯端末機種情報３２のデータに基づいて、ＰＯＳ端末４に内部データベースとして保存している端末管理用データベースを検索し、携帯端末３がどの携帯端末メーカの如何なる型式の機種かを特定する（ステップＳ１０）。
【００３６】
次に、特定した携帯端末機種に応じた適切なトラブル解決用操作ガイダンスを端末管理用データベースから読み出して、例えば絵付きの操作ガイダンスとして、ＰＯＳ端末４のカスタマディスプレイ４ｂ、オペレータディスプレイ４ｃに画面表示する（ステップＳ１１）。購入者２、店員５は、それぞれ、カスタマディスプレイ４ｂ、オペレータディスプレイ４ｃに画面表示されている発生トラブル内容を確認して、発生したトラブルを解決するための処理を、いずれの側で行うべきか判断する（ステップＳ１２）。
【００３７】
トラブル解決を購入者２側で行う必要があると判断した場合は（ステップＳ１２の「購入者が対応」の場合）、購入者２は、カスタマディスプレイ４ｂに画面表示されているトラブル解決用のガイダンス画面を見ながら、携帯端末３やカスタマディスプレイ４ｂのタッチパネルを操作して、トラブルを解決する（ステップＳ１３）。しかる後、決済処理を再度実施し直すか、または、取引を中止する。
【００３８】
トラブル解決を店員５側で行う必要があると判断した場合は（ステップＳ１２の「店員が対応」の場合）、店員５は、オペレータディスプレイ４ｃに画面表示されているトラブル解決用のガイダンス画面を見ながら、ＰＯＳ端末４やオペレータディスプレイ４ｃのタッチパネルを操作し、かつ、購入者２に対してトラブルの解決方法を説明し、トラブルを解決する（ステップＳ１４）。しかる後、決済処理を再度実施し直すか、または、取引を中止する。
【００３９】
なお、ステップＳ７においてカスタマディスプレイ４ｂ、オペレータディスプレイ４ｃそれぞれに画面表示する決済方式選択画面およびステップＳ１１においてカスタマディスプレイ４ｂ、オペレータディスプレイ４ｃそれぞれに画面表示するトラブル解決用操作ガイダンス画面は、通常、それぞれのディスプレイ（カスタマディスプレイ４ｂ、オペレータディスプレイ４ｃ）で同一の情報ではなく、それぞれの画面を見る購入者２、店員５にとって、それぞれに適切な表示内容となっている。例えば、図４に示すように、同一情報を画面表示する場合であっても、店員５が見るオペレータディスプレイ４ｃの表示情報量の方が、購入者２が見るカスタマディスプレイ４ｂの表示情報量よりも多い情報を表示するようにしている。
【００４０】
ここに、図４は、本発明による決済処理システムのＰＯＳ端末４のカスタマディスプレイ４ｂ、オペレータディスプレイ４ｃそれぞれに画面表示する表示内容の一例を示す説明図であり、図４（Ａ）には、ＰＯＳ端末４のカスタマディスプレイ４ｂ、オペレータディスプレイ４ｃそれぞれの画面表示方法の概念を示し、図４（Ｂ）には、図３のステップＳ７における決済方式選択画面の一例を、また、図４（Ｃ）には、図３のステップＳ１１におけるトラブル解決用操作ガイダンス画面の一例を、カスタマディスプレイ４ｂ、オペレータディスプレイ４ｃそれぞれについて示している。
【００４１】
すなわち、図４（Ａ）に示すように、ＰＯＳ端末４のカスタマディスプレイ４ｂに表示する表示内容と同一の情報を、オペレータディスプレイ４ｃに表示する場合であっても、※印で表示しているように、店員５が見るオペレータディスプレイ４ｃ側に表示する情報には、店員５が対応し易いように、さらに付加情報を追加して表示している。
【００４２】
また、図４（Ｂ）の決済方式選択画面４１ｂ，４１ｃにそれぞれ示すように、購入者２が見るカスタマディスプレイ４ｂには、決済方式を選択するための決済方式選択画面として、例えば、図１の場合と同様に、契約済みのすべての決済方式として「電子マネーＡ」、「電子マネーＢ」、「クレジットＣ」、「クレジットＤ」の４種類の決済方式が登録されていて、その中のいずれかを選択可能であるという情報のみが表示される。一方、店員５が見るオペレータディスプレイ４ｃには、購入者２に対する助言を行うことも可能とするための店員用の決済方式選択画面として、例えば、「電子マネーＡ（残高確認要）」、「電子マネーＢ（残高確認要）」、「クレジットＣ（サインレス）」、「クレジットＤ（暗証番号要）」のように、カスタマディスプレイ４ｂ側と同様の購入者向けの決済方式に関する情報のみならず、（  ）付きで示すように、店員５側の決済時の行動として必要とする付加情報が追加表示されている。
【００４３】
また、図４（Ｃ）のトラブル解決用操作ガイダンス画面４２ｂ，４２ｃそれぞれに示すように、購入者２が見るカスタマディスプレイ４ｂには、トラブル解決のためのトラブル解決用操作ガイダンス画面として、例えば、図１の場合と同様に、「絵を見て操作してください。ボタンＡを押し、次に、ボタンＢを押してください。」などと携帯端末３の機種に応じた適切なガイダンス画面が表示される。一方、店員５が見るオペレータディスプレイ４ｃには、購入者２に対する助言を行うことも可能とするための店員用のトラブル解決用操作ガイダンス画面として、例えば、「携帯端末と絵が合っているか確認してください。ボタンＡを押し、次に、ボタンＢを押す。※ダメな場合、下記コールセンタへ連絡願います。０３−１２３４−５６７８」のように、カスタマディスプレイ４ｂ側と同様の購入者向けのトラブル解決用の操作に関する情報のみならず、店員５側のトラブル解決用の行動として必要とする付加情報が追加表示されている。
【００４４】
以上に説明した本実施例の決済処理システム１０における動作例について、さらに説明すると、次の通りである。まず、図１において、購入者２が店舗商品１を購入するに当たって、当該購入者２が所持する非接触型カード３ａ内蔵の携帯端末３による決済処理を行う際には、店舗に設置されているＰＯＳ端末４に搭載または外付け接続された読み取り端末４ａにより携帯端末３の非接触型カード３ａに記録されている情報のうち、決済用に必要な情報を読み取る。
【００４５】
ここで、決済用に必要な情報とは、図２で示すように、携帯端末３に搭載された非接触型カード３ａから読み出される情報であり、購入者２が事前に契約している複数また単一の決済方式情報３１と、携帯端末３の機種を示す携帯端末機種情報３２とを少なくとも含んでいる。決済用に必要な情報が読み出されることによって、ＰＯＳ端末４にインストールされた決済処理用のアプリケーションプログラム（すなわち決済処理プログラム）４ｄが、該必要な情報の内容を分析して、図３に示すような決済処理フローチャートに基づいた処理を行う。
【００４６】
この結果、ＰＯＳ端末４に搭載されたカスタマディスプレイ４ｂには、購入者２に対して、図２に示すような契約済みの複数の決済方式情報３１の中から今回の決済に用いる決済方式を選択する選択画面として、図４のような決済方式選択画面４１ｂが表示される。また、同時に、オペレータディスプレイ４ｃには、店員５に対して、購入者２が所持する携帯端末３に登録されている契約済みの決済方式の一覧が図４のような決済方式選択画面４１ｃとして表示されるので、店員５は、購入者２に対して、どのような決済方式を用いるかを問い合わせたり、または、カスタマディスプレイ４ｂ上のタッチパネルを利用して購入者２が選択するように促したりする案内を行うことができる。また、購入者２は自分が利用可能な複数の決済方式を契約している場合に、その詳細を覚えていなくても、カスタマディスプレイ４ｂによる決済方式選択画面の表示や店員５からの案内によって、希望の決済方式を用いて買い物を行うことができる。
【００４７】
また、決済の段階でトラブルが発生した際には、携帯端末３の機種に応じてトラブル解決用の対応方法が異なる場合があるので、ＰＯＳ端末４は、まず、使用している携帯端末３に関する機種情報を取得する動作を行う。ＰＯＳ端末４のアプリケーションプログラム４ｄは、携帯端末３の非接触型カード３ａに記録されている図２に示すような携帯端末機種情報３２に基づいて、携帯端末３の機種を識別し、その識別結果に基づいて、機種に応じた適切なトラブル解決用のガイダンスとして図４のようなトラブル解決用操作ガイダンス画面４２ｂ，４２ｃをカスタマディスプレイ４ｂおよびオペレータディスプレイ４ｃに画面表示する。これにより、購入者２は自分がどのようにトラブルを解決しなければならないかを、トラブル解決用操作ガイダンス画面４２ｂを通じて確認することができ、店員５側も現在使われている携帯端末３の機種が何であるかを購入者２に確認する必要なく、オペレータディスプレイ４ｃを通じて、トラブル解決用操作ガイダンス画面４２ｃを確認することによって、購入者２に対して適切なアドバイスを行うことができる。また、ＰＯＳ端末４側に問題があれば、オペレータディスプレイ４ｃに表示されるトラブル解決用操作ガイダンス画面４２ｃにしたがって、店員５が操作を進めることによって、トラブルを解決することができる。
【００４８】
次に、図２に示す携帯端末３の内部の動作についてさらに説明する。携帯端末３の内部構成品である非接触型カード３ａには、携帯端末３を購入した際に、または、決済を実施するための契約を行った際に、事前に、少なくとも契約した決済方式を示す決済方式情報３１と携帯端末３の機種を示す携帯端末機種情報３２とを書き込んでおくものとする。非接触型カード３ａへ決済方式情報３１と携帯端末機種情報３２とを書き込む方法は、携帯端末３にあらかじめインストールされているアプリケーションプログラム４ｄの処理に基づくものであっても良いし、決済方式を利用するための契約時に、別途用意されている書き込み手段によって書き込む方法であっても良いものとする。
【００４９】
契約済みの決済方式情報３１を非接触型カード３ａへ記録する目的は、購入者２が事前に各種の契約を締結して使用可能とした決済方式に関するすべての情報を、店舗商品１の購入に関する取引を行う際に、ＰＯＳ端末４側の決済用のアプリケーションプログラム４ｄによって判別することを可能とすることにある。購入者２が決済を行う際に、ＰＯＳ端末４の読み取り端末４ａによって決済方式情報３１を取得して、アプリケーションプログラム４ｄによって判別した結果に基づいて、ＰＯＳ端末４上のカスタマディスプレイ４ｂおよびオペレータディスプレイ４ｃに、使用可能な決済方式の一覧を、図４（Ｂ）に示すような決済方式選択画面４１ｂ，４１ｃとして、画面表示を行うことができるようになり、アプリケーションプログラム４ｄは、購入者２および店員５に対して、適切に決済方式の選択用のガイド動作を行うことができる。
【００５０】
また、携帯端末機種情報３２を非接触型カード３ａへ記録する目的は、携帯端末３を使用して決済処理を行う過程でトラブルが発生した際に、当該携帯端末３を製造したメーカ、型式を明確化することによって、当該携帯端末３の機能やボタン構成や外形などの詳細情報を、ＰＯＳ端末４のトラブル解決用のアプリケーションプログラム４ｄが認識して、認識した当該携帯端末３の機種に応じた的確なガイダンス画面を、図４（Ｃ）に示すようなトラブル解決用操作ガイダンス画面４２ｂ，４２ｃとして、画面表示することを可能とすることにある。
【００５１】
なお、図２の決済方式情報３１、携帯端末機種情報３２に含まれる各種情報を表現するためのデータ長としては、流通市場において既に流通している既存の商品やサービスのみならず、将来的な商品やサービスの追加も視野に入れた拡張性のある内容とするために、十分なビット数を用いて表現され、さらに、データの表現形式についても、携帯端末３の製造メーカ各社や決済用のカード会社各社に共通な標準データフォーマットを用いて定義されるものとする。図２に示す実施例においては、前述したように、決済方式情報３１としては、決済方式、カード会社、サービスに関する情報から構成され、それぞれ４桁、４桁、８桁の合計１６桁のコードを用いて定義されるものとし、携帯端末機種情報３２としては、携帯端末メーカ、型式に関する情報から構成され、それぞれ、４桁、１２桁の合計１６桁のコードを用いて定義される例を示している。
【００５２】
次に、図３の決済処理フローチャートについて、ハッチングを施したステップＳ５，Ｓ８，Ｓ１０，Ｓ１１の処理内容を中心にして補足して説明する。まず、ステップＳ５においては、図２に示す契約済みの決済方式情報３１、携帯端末機種情報３２を携帯端末３の非接触型カード３ａからＰＯＳ端末４の読み取り端末４ａを介して取得する。而して、ＰＯＳ端末４の決済用のアプリケーションプログラム４ｄにおいて、取得した図２に示す契約済みの決済方式情報３１を分析して、当該携帯端末３を所持している購入者２が現在契約している決済方式に関する情報に沿った決済用の処理を実施する。
【００５３】
この結果に基づいて、ステップＳ７においては、アプリケーションプログラム４ｄは、ＰＯＳ端末４上のカスタマディスプレイ４ｂおよびオペレータディスプレイ４ｃに画面表示する内容を決定し、図４（Ｂ）のような決済方式選択画面４１ｂ，４１ｃの画面表示を行う。購入者２または店員５が、カスタマディスプレイ４ｂまたはオペレータディスプレイ４ｃに画面表示された決済方式選択画面４１ｂ，４１ｃの内容に対して、カスタマディスプレイ４ｂまたはオペレータディスプレイ４ｃ上のタッチパネルを操作することによって、決済方式を適切に選択することができる。
【００５４】
なお、前述の実施例の説明においては、購入者２または店員５のいずれかがカスタマディスプレイ４ｂまたはオペレータディスプレイ４ｃ上のタッチパネルを操作するように説明したが、例えば、購入者２の希望する決済方式を購入者２自身が操作して入力するように限定しても良いし、あるいは、店員５のみがタッチパネルを操作して購入者２が希望する決済方式を入力するように限ることにしても良い。いずれにしても、決済方式が選択されると、アプリケーションプログラム４ｄは、選択された決済方式に基づいて、適切な処理画面へと表示画面を移行し、決済処理を実施する。
【００５５】
また、決済段階におけるトラブル発生時の対応として、ステップＳ１０においては、ＰＯＳ端末４のアプリケーションプログラム４ｄにおいて、ステップＳ５にて取得した携帯端末機種情報３２に基づいて、携帯端末３がどのメーカの何と言う機種かを特定するために、アプリケーションプログラム４ｄが参照可能な形態で事前にＰＯＳ端末４内部に格納されている端末管理データベースを検索して、携帯端末３の機種（メーカ、型式）を特定することによって、当該携帯端末３の機能やボタン構成などの詳細情報を抽出する。さらに、ステップＳ１１においては、携帯端末機種情報３２を用いて抽出された詳細情報に基づいて、トラブルの発生状態に合わせて、端末管理データベースの中から該当する適切なトラブル解決用のガイダンス情報を選択して、図４に示すようなトラブル解決用操作ガイダンス画面４２ｂ，４２ｃとして、ＰＯＳ端末４のカスタマディスプレイ４ｂおよびオペレータディスプレイ４ｃに画面表示する。
【００５６】
このトラブル解決用操作ガイダンス画面４２ｂ，４２ｃの画面表示内容を参照しながら、購入者２および／または店員５は、順次表示されていくガイダンス情報にしたがって適切にトラブル解決のための操作を行うことができる。なお、前述の実施例の説明においては、店員５側が対応する場合として、ＰＯＳ端末４やオペレータディスプレイ４ｃのタッチパネルを操作して、ＰＯＳ端末４側のトラブルを解決するか、あるいは、購入者２に対してトラブル解決方法を説明することによって、購入者２にカスタマディスプレイ４ｂのタッチパネルを操作してもらって、トラブルを解決する場合について説明した。しかし、本発明は、かかる場合のみに限るものではなく、例えば、購入者２自身に代わって、店員５がオペレータディスプレイ４ｃやカスタマディスプレイ４ｂ上のタッチパネルを操作したり、あるいは、ＰＯＳ端末４の内部情報などを変更したりして、トラブルを解決することも可能である。
【００５７】
次に、図４（Ｂ），（Ｃ）に示す決済方式選択画面４１ｂ，４１ｃおよびトラブル解決用操作ガイダンス画面４２ｂ，４２ｃの画面表示内容について補足して説明する。図４（Ｂ）に示す決済方式選択画面４１ｂ，４１ｃは、前述したように、図２の契約済みの決済方式情報３１に基づいて、購入者２または店員５が決済方式を選択または問い合わせするための画面表示内容を示しているが、カスタマディスプレイ４ｂ、オペレータディスプレイ４ｃのそれぞれの画面には、対応可能な決済方式すべてが一覧可能な見易い形態に配置されており、カスタマディスプレイ４ｂまたはオペレータディスプレイ４ｃ上のタッチパネルにより、購入者２または店員５がタッチ操作して、決済方式を選択することができる。
【００５８】
ここで、購入者２がカスタマディスプレイ４ｂ上のタッチパネルから希望する決済方式を選択した結果が、オペレータディスプレイ４ｃにも反映されて表示されるので、店員５は、購入者２が選択した決済方式を確認することができる。一方、店員５が購入者２の希望する決済方式をオペレータディスプレイ４ｃ上のタッチパネルを操作して選択する場合についても、店員５の操作結果がカスタマディスプレイ４ｂ上に反映されて表示されることによって、購入者２に確認する形で決済方式を選択することができる。
【００５９】
図４（Ｃ）に示すトラブル解決用操作ガイダンス画面４２ｂ，４２ｃは、前述のように、決済段階においてトラブルが発生した際に、カスタマディスプレイ４ｂおよびオペレータディスプレイ４ｃに表示するトラブル解決用としてのガイダンス内容を示している。ここで、該ガイダンス内容は、携帯端末３の機種に応じて適切な内容を表示可能とするために、携帯端末３から読み取った携帯端末機種情報３２に基づいて、携帯端末３のボタン配置や画面の表示内容を実物と同様な表示形式となるように、トラブル解決のための対処方法を、携帯端末３の機種に合わせた映像と文字とによって画面表示する。
【００６０】
購入者２は、カスタマディスプレイ４ｂに画面表示されたトラブル解決用操作ガイダンス画面４２ｂの内容を見ることによって、トラブル解決用の対処方法を特定して、トラブルを解決することができる。一方、店員５は、オペレータディスプレイ４ｃに画面表示されたトラブル解決用操作ガイダンス画面４２ｃの内容を見ることによって、ＰＯＳ端末４の状態を調整し直したり、購入者２に対してトラブル解決のための適切な助言を行ったりすることができる。なお、ここで言う決済段階でのトラブルとは、決済に必要な各種契約内容に基づいて定められた使用法に対して、ＰＯＳ端末４において正しく実行することができない事態が発生した場合を意味している。例えば、選択した決済方式の契約がまだなされていない、個人認証用として入力した暗証番号が間違っている、使用したい決済に関する事前の操作が正しくなされていない、などの場合であり、ＰＯＳ端末４の画面による案内によって解決することができる場合を対象としている。
【００６１】
（実施例における効果の説明）
次に、以上に本発明の実施例として説明した決済処理システム１０における効果について説明する。
【００６２】
第１の効果は、携帯端末３に登録されている複数の契約済みの決済方式の中から、購入者２が希望する決済方式を選択する際に、ＰＯＳ端末４のディスプレイ（カスタマディスプレイ４ｂ、オペレータディスプレイ４ｃ）を利用して決済方式選択画面４１ｂ，４１ｃとして決済方式の選択項目を一覧表示するので、購入者２にとって理解し易い形態で決済方式の選択が可能になることである。
【００６３】
その理由は、購入者２が所持する携帯端末３に内蔵した非接触型カード３ａに契約済みのすべての決済方式を示す情報を決済方式情報３１として記録しており、決済方式情報３１を、ＰＯＳ端末４側のアプリケーションプログラム４ｄによって読み取って判別することによって、ＰＯＳ端末４のカスタマディスプレイ４ｂに決済方式選択画面４１ｂとして一覧表示し、購入者２が容易に選択可能とする仕組みを構成しているためである。また、決済方式選択画面４１ｂ上の情報と同様の情報を少なくとも含む画面が、決済方式選択画面４１ｃとして、店員５が見るＰＯＳ端末４のオペレータディスプレイ４ｃにも画面表示されるので、店員５が決済方式選択画面４１ｃを見ることによって、購入者２が使用可能な決済方式を店員５にも容易に分かる仕組みを構成しているためである。
【００６４】
第２の効果は、携帯端末３による決済の際にトラブルが発生した場合、その携帯端末３の機種に合わせた分かり易いトラブル解決用の操作ガイダンスがＰＯＳ端末４のディスプレイ（カスタマディスプレイ４ｂ、オペレータディスプレイ４ｃ）に画面表示され、誰でも、簡単にトラブルを解決することができることである。
【００６５】
その理由は、携帯端末３に内蔵した非接触型カード３ａには当該携帯端末３の製造メーカや型式を表す情報を携帯端末機種情報３２として記録しており、携帯端末機種情報３２をＰＯＳ端末４側のアプリケーションプログラム４ｄによって読み取って判別することによって、携帯端末の機種ごとの詳細情報を保存している端末管理データベースを検索して、当該携帯端末３の機種に合わせた適切なトラブル解決用の操作方法を、トラブル解決用操作ガイダンス画面４２ｂ，４２ｃとして、例えば、携帯端末３用の映像や文字を用いて分かり易く表現することができるためである。
【００６６】
第３の効果は、ＰＯＳ端末４に内蔵または外付け接続した読み取り端末４ａを、携帯端末３の機種ごとや決済方式ごとに分けて別々に配置しなくても、購入者２は、何も気にせずに、携帯端末３による決済方式の選択や決済の実行を行うことができ、かつ、決済段階でのトラブル発生時においても、携帯端末３の機種に応じた最適な解決手順がトラブル解決用のガイダンス画面としてＰＯＳ端末４のディスプレイ（カスタマディスプレイ４ｂ、オペレータディスプレイ４ｃ）上に表示されるので、発生したトラブルを容易に解決することができることである。
【００６７】
その理由は、携帯端末３に内蔵した非接触型カード３ａに、契約済みの決済方式および当該携帯端末３の機種に関する情報を、決済方式情報３１および携帯端末機種情報３２として記録しており、さらに、決済方式情報３１および携帯端末機種情報３２のデータフォーマットを、業界標準のデータフォーマットとして定義することによって、決済方式情報３１および携帯端末機種情報３２を決済会社各社や携帯端末メーカ各社に広く適用されることを可能としているので、購入者２が決済のためにＰＯＳ端末４において携帯端末３を使用する際に、最適な決済方式選択画面を画面表示したり、決済段階におけるトラブル発生時にも携帯端末３の機種ごとに最適なトラブル解決用の操作ガイダンス画面を表示したりすることができる仕組みを構成しているためである。
【００６８】
(本発明の他の実施例）
次に、本発明による決済処理システムの他の構成例について、図５を用いて詳細に説明する。図５は、本発明による決済処理システムの図１とは異なる構成例を説明するための説明図である。図５に示す本実施例の決済処理システム１０Ａにおいては、図１に示した決済処理システム１０における携帯端末３を用いる代わりに、各種情報の記録、読み取りが可能な非接触型記録媒体を内蔵した非接触型カード（例えば非接触型ＩＣカード）３１ａを用い、非接触型カード３１ａそのものの記録内容を、ＰＯＳ端末４１の読み取り端末４ｅによって読み取ることによって、決済処理を行う場合について示している。なお、非接触型カード３１ａとしては、決済処理システム１０における携帯端末３に内蔵した非接触型カード３ａと同一のものであってもかまわない。
【００６９】
図５に示すように、携帯端末３ではなく、決済用の各種情報を記録した非接触型記録媒体を内蔵した非接触型カード３１ａそのものを用いた運用形態であっても、前述した決済処理システム１０の場合と同様のメリットを得ることができる。すなわち、本実施例の決済処理システム１０Ａにおいては、前述した実施例の決済処理システム１０における携帯端末３の機種、製造メーカ情報の代わりに、非接触型カード３１ａ自身に関するカード発行会社やカード型式などを含むカード種別情報を保存するか、あるいは、当該非接触型カード３１ａを搭載可能な携帯端末３の機種、製造メーカ情報（すなわち携帯端末機種情報）の中に、非接触型カード３１ａに関する前記カード種別情報も含めて保存するようにしておけば、ＰＯＳ端末４１は、決済段階で、決済用に使用される非接触型カード３１ａに関するカード種別を取得して、前述の決済処理システム１０における携帯端末３の機種に応じた運用の場合と同様の運用を行うことができる。
【００７０】
（本実施例の構成における動作例）
図５に示す決済処理システム１０Ａにおいては、図５の＜全体の流れ＞に示すように、まず、店舗で扱う店舗商品１を購入者２が購入する（フローＦ１）。購入の際に、当該購入者２所持の非接触型カード３１ａを使用して決済を行う場合には、ＰＯＳ端末４１に内蔵または外付け接続した読み取り端末４ｅに非接触型カード３１ａをかざすことによって、ＰＯＳ端末４１は、非接触型カード３１ａに記録されている決済用の必要情報を読み取る（フローＦ２Ａ）。ここで、決済用の必要情報としては、購入者２が事前に契約している複数または単一の決済方式と当該非接触型カード３１ａのメーカ、型式などからなる機種を示すカード種別情報とが、少なくとも含まれている。
【００７１】
読み取った当該非接触型カード３１ａの契約済みの決済方式情報とカード種別情報とを、ＰＯＳ端末４１にインストールされたアプリケーションプログラム４ｄにより処理した結果に基づいて、図１の決済処理システム１０の場合と同様に、ＰＯＳ端末４１に接続した２つの画面表示器に対して、すなわち、カスタマディスプレイ４ｂとオペレータディスプレイ４ｃとに対して、決済方式の選択画面や決済段階でのトラブル解決用の操作ガイダンス画面を表示する（フローＦ３）。ここで、通常時は、カスタマディスプレイ４ｂ、オペレータディスプレイ４ｃには、非接触型カード３１ａの契約済みの決済内容として登録されているすべての決済方式（例えば、図５の場合、非接触型カード３１ａには、図１の場合と同様に、電子マネーＡ、電子マネーＢ、クレジットＣ、クレジットＤの４種類の決済方式が登録されている）が一覧表示される（フローＦ４）。
【００７２】
すなわち、図１の決済処理システム１０の場合と同様に、購入者２が複数の決済方式を契約している場合であれば、ＰＯＳ端末４１に搭載のカスタマディスプレイ４ｂには、契約済みの複数の決済方式情報の中から決済方式を選択するための決済方式選択画面が購入者２に対して画面表示される。また、同時に、オペレータディスプレイ４ｃには、非接触型カード３１ａの所持者が契約している複数の決済方式の一覧が店員５に対して画面表示される。したがって、店員５は、購入者２に対して、どのような決済方式を用いるかを問い合わせたり、または、カスタマディスプレイ４ｂ上のタッチパネルを利用して、決済方式を選択するように促す案内をしたりすることができる。
【００７３】
一方、購入者２は、カスタマディスプレイ４ｂに一覧表示された決済方式の中から、タッチパネルにタッチするだけで、希望する決済方式を簡単に選択することができ、購入者２が選択した決済方式を用いて、決済処理を実施することができる。したがって、購入者２は、図１の決済処理システム１０の場合と同様に、自分が利用可能な決済方式を複数有している場合であっても、その詳細を覚える必要はなく、カスタマディスプレイ４ｂに画面表示された選択可能な決済方式の一覧を見たり、店員５による案内を聞いたりすることによって、希望の決済方式を用いて買い物を行うことができる。
【００７４】
また、ＰＯＳ端末４１が通常の決済処理とは異なる何らかのトラブルを検知した場合には、カスタマディスプレイ４ｂ、オペレータディスプレイ４ｃ上に、使用している非接触型カード３１ａのカード種別に対応したトラブル処理を行うための詳細な操作方法を示す操作ガイダンスが表示される（フローＦ５Ａ）。例えば、図５に示すように、「絵を見て操作してください。カードをもう一度読み取り機の上にかざしてください。」などの操作ガイダンスが表示されるので、購入者２または店員５は、カスタマディスプレイ４ｂ、オペレータディスプレイ４ｃに表示された操作ガイダンスにしたがって、操作を進めることにより、決済時のトラブルを簡単に解決することができる。
【００７５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００７６】
【図１】本発明による決済処理システムの構成の一例を説明するための説明図である。
【図２】本発明による携帯端末の内部構成の一例を示す斜視図である。
【図３】本発明による決済処理システムにおける決済処理の一例を説明するためのフローチャートである。
【図４】本発明による決済処理システムのＰＯＳ端末のカスタマディスプレイ、オペレータディスプレイそれぞれに画面表示する表示内容の一例を示す説明図である。
【図５】本発明による決済処理システムの図１とは異なる構成例を説明するための説明図である。
【符号の説明】
【００７７】
１              店舗商品
１０            決済処理システム
１０Ａ          決済処理システム
２              購入者
３              携帯端末
３１            決済方式情報
３１ａ          非接触型カード
３２            携帯端末種別情報
３ａ            非接触型カード
４              ＰＯＳ端末
４１            ＰＯＳ端末
４１ｂ，４１ｃ  決済方式選択画面
４２ｂ，４２ｃ  トラブル解決用操作ガイダンス画面
４ａ            読み取り端末
４ｂ            カスタマディスプレイ
４ｃ            オペレータディスプレイ
４ｄ            アプリケーションプログラム（決済処理プログラム）
４ｅ            読み取り端末
【図１】
2008107864.tif 000003
【図２】
2008107864.tif 000004
【図３】
2008107864.tif 000005
【図４】
2008107864.tif 000006
【図５】
2008107864.tif 000007